(57)【要約】  インクジェット記録装置の小型化を考慮した記録装置を提供すること。  インクジェット記録装置は、インクを吐出する記録ヘッド、及びインクが収容されたインク収容部と前記記録ヘッドとを中継する中継アダプターを備え、前記記録ヘッドの走査方向に移動可能なヘッドユニットと、前記中継アダプターに接続され、前記インク収容部から送られるインクを前記中継アダプターへと導く、可撓性を有するインクチューブと、を備え、前記ヘッドユニットにおいて前記中継アダプターを収容するアダプター収容部の上部に高低差が形成され、前記インクチューブが、前記アダプター収容部における高位置と低位置との間の空間を利用して前記ヘッドユニットの外側に延出している、ことを特徴とする。
2013114841.tif 000002
【特許請求の範囲】
【請求項１】
インクを吐出する記録ヘッド、およびインクが収容されたインク収容部と前記記録ヘッドとを中継する中継アダプターを備え、前記記録ヘッドの走査方向に移動可能なヘッドユニットと、
前記中継アダプターに接続され、前記インク収容部から送られるインクを前記中継アダプターへと導く、可撓性を有するインクチューブと、を備え、
前記ヘッドユニットにおいて前記中継アダプターを収容するアダプター収容部の上部に高低差が形成され、
前記インクチューブが、前記アダプター収容部における高位置と低位置との間の空間を利用して前記ヘッドユニットの外側に延出している、
ことを特徴とするインクジェット記録装置。
【請求項２】
請求項１に記載のインクジェット記録装置において、前記ヘッドユニットの移動領域における少なくとも一部の移動領域上方を覆うカバー部を有するハウジングを備え、
前記アダプター収容部の上部に形成された前記高低差によって、前記カバー部と前記アダプター収容部との間に第１の空間と当該第１の空間より大きい空間である第２の空間とが形成され、
前記インクチューブが前記ヘッドユニットから延出する延出部が、前記第２の空間に配置されている、
ことを特徴とするインクジェット記録装置。
【請求項３】
請求項１に記載のインクジェット記録装置において、前記インクチューブを複数本有し、
当該複数本のインクチューブが、上下方向に配列されて前記ヘッドユニットから延出する、
ことを特徴とするインクジェット記録装置。
【請求項４】
請求項１に記載のインクジェット記録装置において、前記インクチューブを複数本有し、
当該複数本のインクチューブが、水平方向に配列されて前記ヘッドユニットから延出する、
ことを特徴とするインクジェット記録装置。
【請求項５】
請求項２に記載のインクジェット記録装置において、前記インクチューブを複数本有し、
当該複数本のインクチューブが、前記ハウジングの上面において横方向に配列されて前記ハウジングの上面に固定されている、
ことを特徴とするインクジェット記録装置。
【請求項６】
請求項１に記載のインクジェット記録装置において、前記ハウジングは、前記ヘッドユニットの移動領域における少なくとも一部の移動領域上部を露呈させる開口部を備えるとともに、記録が行われた被記録媒体が排出される排出口が設けられた側を装置の前方側としたときに、上面に前記開口部から側方に延びる凹部を備え、
前記インクチューブが、前記凹部を通り、前記ハウジングの側方に出ている、
ことを特徴とするインクジェット記録装置。
【請求項７】
請求項６に記載のインクジェット記録装置において、前記インクチューブを複数本有し、
当該複数本のインクチューブが、前記凹部において水平方向に配列される、
ことを特徴とするインクジェット記録装置。
【請求項８】
請求項６に記載のインクジェット記録装置において、前記凹部において水平方向に配列
された複数のインクチューブが、前記凹部内で固定されている、
ことを特徴とするインクジェット記録装置。
【請求項９】
請求項１に記載のインクジェット記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１０】
請求項１に記載のインクジェット記録装置において、前記ハウジングの外側に前記インク収容部を備えている、
ことを特徴とするインクジェット記録装置。
【請求項１１】
プリンター部と、前記プリンター部に対して開閉可能に取り付けられたスキャナー部とを備えたインクジェット記録装置であって、
前記プリンター部は、ハウジングと、インクが収容されたインク収容部と、前記ハウジング内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの一部を覆うカバー部と、を備え、
前記インクチューブの一部は、前記ヘッドユニットが前記主走査方向の端部に位置した際に、前記カバー部と前記対向部と前記ヘッドユニットとで形成される空間に位置する、  ことを特徴とするインクジェット記録装置。
【請求項１２】
請求項１１に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１３】
請求項１２に記載のインクジェット記録装置において、前記配列変換部が、装置内部に設けられている、
ことを特徴とするインクジェット記録装置。
【請求項１４】
請求項１１に記載のインクジェット記録装置において、前記ハウジングの外側に前記インク収容部を備えている、
ことを特徴とするインクジェット記録装置。
【請求項１５】
プリンター部と、前記プリンター部に対して開閉可能に取り付けられたスキャナー部とを備えた記録装置であって、
前記プリンター部は、ハウジングと、インクが収容されたインク収容部と、前記ハウジングの内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記アダプター収容部は、前記中継アダプターを収容する収容口を形成する縁を有し、前記縁は、前記排出口側の反対側よりも前記排出口側が低く形成され、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの一部を覆うカバー部と、を備え、
前記インクチューブの一部は、前記ヘッドユニットが前記主走査方向の端部に位置した際に、前記カバー部あるいは前記対向部と前記アダプター収容部の前記縁における低い位置との隙間から前記インク収容部に向けて延出する、
ことを特徴とする記録装置。
【請求項１６】
請求項１５に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１７】
請求項１６に記載のインクジェット記録装置において、前記配列変換部が、装置内部に設けられている、
ことを特徴とするインクジェット記録装置。
【請求項１８】
請求項１５に記載のインクジェット記録装置において、前記ハウジングの外側に前記インク収容部を備えている、
ことを特徴とするインクジェット記録装置。
【発明の詳細な説明】
【技術分野】
【０００１】
本発明は、被記録媒体に対してインクを吐出して記録する記録ヘッドを備える記録装置に関する。
本発明において、記録装置には、インクジェットプリンター、ラインプリンター、複写機、ファクシミリ等の種類が含まれるものとする。
【背景技術】
【０００２】
従来では特許文献１に示す如く、被記録媒体へインクを吐出して記録するインクジェット記録装置は、所定の移動方向へ往復動可能に支持され、記録ヘッドが搭載されたヘッドユニットを備えている。このヘッドユニットと前記インクを収容するインク収容部との間には、前記インク収容部から前記ヘッドユニットへ前記インクを供給可能にインクチューブが設けられている。
【先行技術文献】
【特許文献】
【０００３】
【特許文献１】特開２０１０−１３１８９３号公報
【発明の概要】
【発明が解決しようとする課題】
【０００４】
このインクジェット記録装置において、前記インクチューブの一端側は、前記ヘッドユニットの側面に接続され、他端側は前記インク収容部に接続されている。このため、この記録装置ではヘッドユニットからインクチューブを延出させるための空間を確保しなければならず、記録装置の大型化を招いていた。【０００５】
本発明は、このような状況に鑑み成されたものであり、その課題は、インクジェット記録装置の小型化を考慮した記録装置を提供することである。
【課題を解決するための手段】
【０００６】
上記課題を達成するため、本発明の第１の態様のインクジェット記録装置は、インクを吐出する記録ヘッド、及びインクが収容されたインク収容部と前記記録ヘッドとを中継する中継アダプターを備え、前記記録ヘッドの走査方向に移動可能なヘッドユニットと、前記中継アダプターに接続され、前記インク収容部から送られるインクを前記中継アダプターへと導く、可撓性を有するインクチューブと、を備え、前記ヘッドユニットにおいて前記中継アダプターを収容するアダプター収容部の上部に高低差が形成され、前記インクチューブが、前記アダプター収容部における高位置と低位置との間の空間を利用して前記ヘッドユニットの外側に延出していることを特徴とする。【０００７】
本態様によれば、前記ヘッドユニットのアダプター収容部の上部に形成された高低差により生じた空間を利用して前記ヘッドユニットに収容された中継アダプターとインクチューブとの接続を行い、前記中継アダプターからインクチューブを延出させることから、インクジェット記録装置の小型化を図ることができる。【０００８】
本発明の第２の態様は、第１の態様において、前記ヘッドユニットの移動領域における少なくとも一部の移動領域上方を覆うカバー部を有するハウジングを備え、前記アダプター収容部の上部に形成された前記高低差によって、前記カバー部と前記アダプター収容部との間に第１の空間と当該第１の空間より大きい空間である第２の空間とが形成され、前記インクチューブが前記中継アダプターから延出する延出部が、前記第２の空間に配置されていることを特徴とする。【０００９】
本発明の第３の態様は、第１の態様において、前記インクチューブを複数本有し、当該複数本のインクチューブが、上下方向に配列されて前記ヘッドユニットから延出することを特徴とする。【００１０】
本発明の第４の態様は、第１の態様において、前記インクチューブを複数本有し、当該複数本のインクチューブが、水平方向に配列されて前記ヘッドユニットから延出することを特徴とする。【００１１】
本発明の第５の態様は、第２の態様において、前記インクチューブを複数本有し、当該複数本のインクチューブが、前記ハウジングの上面において水平方向に配列されて前記ハウジングの上面に固定されていることを特徴とする。【００１２】
本発明の第６の態様は、第１の態様において、前記ハウジングは、前記ヘッドユニットの移動領域における少なくとも一部の移動領域上部を露呈させる開口部を備えるとともに、記録が行われた被記録媒体が排出される排出口が設けられた側を装置の前方側としたときに、上面に前記開口部から側方に延びる凹部を備え、前記インクチューブが、前記凹部を通り、前記ハウジングの側方に出ていることを特徴とする。【００１３】
本発明の第７の態様は、第６の態様において、前記インクチューブを複数本有し、当該複数本のインクチューブが、前記凹部において水平方向に配列されることを特徴とする。【００１４】
本発明の第８の態様は、第６の態様において、前記凹部において水平方向に配列された複数のインクチューブが、前記凹部内で固定されていることを特徴とする。【００１５】
本発明の第９の態様は、第１の態様において、前記インクチューブを複数本備えるとともに、当該複数本のインクチューブの配列方向を変換する配列変換部により、複数の前記インクチューブの配列方向が水平方向から上下方向に、或いは上下方向から水平方向に変換されることを特徴とする。【００１６】
本発明の第１０の態様は、第１の態様において、前記ハウジングの外側に前記インク収容部を備えていることを特徴とする。【００１７】
上記課題を達成するため、本発明の第１１の態様のインクジェット記録装置は、プリンター部と、前記プリンター部に開閉可能に取り付けられたスキャナー部とを備えたインクジェット記録装置であって、前記プリンター部は、ハウジングと、インクが収容されたインク収容部と、前記ハウジング内部に配置され、主走査方向に移動するヘッドユニットと、を備え、前記ヘッドユニットは、インクを吐出する記録ヘッドと、前記記録ヘッドにインクを供給する中継アダプターと、前記中継アダプターを収容するアダプター収容部と、を有し、前記プリンター部は、前記インク収容部のインクを前記中継アダプターに供給するためのインクチューブと、前記記録ヘッドで記録された記録媒体を排出する排出口と、をさらに備え、前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、前記ハウジングは、前記スキャナー部が閉状態の際に前記モーター用凸部と対向する対向部と、前記対向部につらなり、前記主走査方向の端部に位置した前記ヘッドユニットの一部を覆うカバー部と、を備え、前記インクチューブの一部は、前記ヘッドユニットが前記主走査方向の端部に位置した際に、前記カバー部と前記対向部と前記ヘッドユニットとで形成される空間に位置する、ことを特徴とする。【００１８】
本発明の第１２の態様は、第１１の態様において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、ことを特徴とする。【００１９】
本発明の第１３の態様は、第１２の態様において、前記配列変換部が、装置内部に設けられている、ことを特徴とする。【００２０】
本発明の第１４の態様は、第１１の態様において、前記ハウジングの外側に前記インク収容部を備えている、ことを特徴とする。【００２１】
上記課題を達成するため、本発明の第１５の態様のインクジェット記録装置は、プリンター部と、前記プリンター部に開閉可能に取り付けられたスキャナー部とを備えた記録装置であって、前記プリンター部は、ハウジングと、インクが収容されたインク収容部と、前記ハウジングの内部に配置され、主走査方向に移動するヘッドユニットと、を備え、前記ヘッドユニットは、インクを吐出する記録ヘッドと、前記記録ヘッドにインクを供給する中継アダプターと、前記中継アダプターを収容するアダプター収容部と、を有し、前記プリンター部は、前記インク収容部のインクを前記中継アダプターに供給するためのインクチューブと、前記記録ヘッドで記録された記録媒体を排出する排出口と、をさらに備え、前記アダプター収容部は、前記中継アダプターを収容する収容口を形成する縁を有し、前記縁は、前記排出口側の反対側よりも前記排出口側が低く形成され、前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、前記ハウジングは、前記スキャナー部が閉状態の際に前記モーター用凸部と対向する対向部と、前記対向部につらなり、前記主走査方向の端部に位置した前記ヘッドユニットの一部を覆うカバー部と、を備え、前記インクチューブの一部は、前記ヘッドユニットが前記主走査方向の端部に位置した際に、前記カバー部あるいは前記対向部と前記アダプター収容部の前記縁における低い位置との隙間から前記インク収容部に向けて延出する、ことを特徴とする記録装置。【００２２】
本発明の第１６の態様は、第１５の態様において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、ことを特徴とする。【００２３】
本発明の第１７の態様は、第１６の態様において、前記配列変換部が、装置内部に設けられている、ことを特徴とする。【００２４】
本発明の第１８の態様は、第１５の態様において、前記ハウジングの外側に前記インク収容部を備えている、ことを特徴とする。
【図面の簡単な説明】
【００２５】
【図１】本発明に係るインクジェットプリンターの斜視図。
【図２】本発明に係るインクジェットプリンター内部の概略を示す側断面図。
【図３】第１の実施例のヘッドユニットの側面図。
【図４】第１の実施例のヘッドユニットの斜視図。
【図５】第２の実施例のヘッドユニットの斜視図。
【図６】第３の実施例のヘッドユニットの側面図。
【図７】第３の実施例のヘッドユニットの斜視図。
【図８】第４の実施例のヘッドユニットの側面図。
【図９】第４の実施例のヘッドユニットの斜視図。
【図１０】第５の実施例のヘッドユニットの側面図。
【図１１】第５の実施例のヘッドユニットの斜視図。
【図１２】第６の実施例のヘッドユニットの斜視図。
【図１３】第７の実施例に係るインクジェットプリンターの斜視図。
【図１４】第７の実施例のヘッドユニットの側面図。
【図１５】第７の実施例のヘッドユニットの斜視図。
【図１６】第８の実施例のヘッドユニットの側面図。
【図１７】第８の実施例のヘッドユニットの斜視図。
【図１８】第９の実施例のインクジェットプリンターの斜視図。
【図１９】第１０の実施例のインクジェットプリンターの斜視図。
【図２０】第１１の実施例のインクチューブ配設領域の正面図。
【図２１】第１２の実施例のインクチューブ配設領域の上面図。
【図２２】（Ａ）、（Ｂ）、（Ｃ）は他の実施例のヘッドユニットの側面図。
【図２３】（Ａ）、（Ｂ）、（Ｃ）は他の実施例のヘッドユニットの側面図。
【図２４】（Ａ）、（Ｂ）、（Ｃ）は他の実施例のヘッドユニットの側面図。
【図２５】ヘッドユニット上部の領域を示す側面図。
【図２６】第９の実施例のインクジェットプリンターの内部構成を模式的に示す断面図。
【発明を実施するための形態】
【００２６】
以下、本発明の実施の形態を図面に基づいて説明する。尚、各実施例において同一の構成については、同一の符号を付し、最初の実施例においてのみ説明し、以後の実施例においてはその構成の説明を省略する。
【００２７】
図１は本発明に係るインクジェット記録装置としてのインクジェットプリンターの外観を示す斜視図であり、図２は本発明に係るプリンター内部の概略を示す側断面図であり、図３は本発明に係る第１の実施例のヘッドユニットを示す側面図であり、図４は第１の実施例のヘッドユニットを示す斜視図である。尚、図１のインクジェットプリンターには第１の実施例のヘッドユニットが搭載されている。
【００２８】
また、図５は第２の実施例のヘッドユニットを示す斜視図であり、図６は本発明に係る第３の実施例のヘッドユニットを示す側面図であり、図７は第３の実施例のヘッドユニットを示す斜視図であり、図８は本発明に係る第４の実施例のヘッドユニットを示す側面図であり、図９は第４の実施例のヘッドユニットを示す斜視図であり、図１０は本発明に係る第５の実施例のヘッドユニットを示す側面図であり、図１１は第５の実施例のヘッドユニットを示す斜視図であり、図１２は本発明に係る第６の実施例のヘッドユニットを示す斜視図である。
【００２９】
図１３は第７の実施例に係るインクジェットプリンターの外観を示す斜視図であり、図１４は第７の実施例のヘッドユニットを示す側面図であり、図１５は本発明に係る第７の実施例のヘッドユニットを示す斜視図であり、図１６は第８の実施例のヘッドユニットを示す側面図であり、図１７は第８の実施例のヘッドユニットを示す斜視図である。
【００３０】
また、図１８は第９の実施例のインクジェットプリンターを示す斜視図であり、図１９は第１０の実施例のインクジェットプリンターを示す斜視図であり、図２０は第１１の実施例のインクチューブ配設領域の正面図であり、図２１は第１２の実施例のインクチューブ配設領域の上面図である。
【００３１】
図２２（Ａ）は第１３の実施例のヘッドユニットの側面図であり、図２２（Ｂ）は第１４の実施例のヘッドユニットの側面図であり、図２２（Ｃ）は第１５の実施例のヘッドユニットの側面図であり、図２３（Ａ）は第１６の実施例のヘッドユニットの側面図であり、図２３（Ｂ）は第１７の実施例のヘッドユニットの側面図であり、図２３（Ｃ）は第１８の実施例のヘッドユニットの側面図であり、図２４（Ａ）は第１９の実施例のヘッドユニットの側面図であり、図２４（Ｂ）は第２０の実施例のヘッドユニットの側面図であり、図２４（Ｃ）は第２１の実施例のヘッドユニットの側面図である。また図２５はヘッドユニット上部の領域を示す側面図である。
尚、上記各側面図は、ヘッドユニットの移動方向から当該ヘッドユニットを見た際の図である。
【００３２】
図１を参照するに、本発明に係るインクジェット記録装置の一例であるインクジェットプリンター１０（以下、プリンター１０という。）の外観が示されている。プリンター１０の背面側（図１紙面左側）には、被記録媒体差し込み口１２が設けられている。被記録媒体差し込み口１２は、プリンター１０の内部に設けられたホッパー１４（図２参照）に被記録媒体を外部から供給する。
また、プリンター１０の正面側（図１紙面右側）には、記録された被記録媒体を排出する排出口１６が設けられている。
【００３３】
さらに、プリンター１０は、その外観がハウジング１８によって構成されている。ハウジング１８は、後述するヘッドユニット２４の所定の移動方向として主走査方向（プリンター１０の長辺方向）における移動領域の一部の上方及び前方を露呈させる開口部２２を有しており、開口部２２の両側が、ヘッドユニット２４の移動領域上方を覆うカバー部２０を構成している。そしてハウジング１８の内部空間に開口部２２を介して外部からアクセス可能となっている。尚、本実施形態においては開口部２２は開放状態となっているが、開口部２２を覆う状態と開く状態とをとりうる開閉可能なカバーを設けても良い。
【００３４】
複数の可撓性のインクチューブ２６は、その一端側がヘッドユニット２４に接続されている。ヘッドユニット２４から延びるインクチューブ２６は、後述する案内部２８を経て、上下方向（鉛直方向）に整列させられてヘッドユニット２６の外側に延出し、前記主走査方向に延びている。インクチューブ２６は、図１の例では前記主走査方向において開口部２２の中央付近からハウジング１８の前面３０側に出て、前面３０に設けられた板状の前面固定部３２にプリンター１０の上下方向に配列されて接着剤で接着されている。
【００３５】
インクチューブ２６は、前面固定部３２の左方で大きく湾曲し、右方向に向きを変え、ハウジング１８のカバー部２０に設けられた板状の上面固定部３４に水平方向すなわちプリンター１０の前後方向に配列されて接着剤で接着されている。インクチューブ２６は、上面固定部３４からハウジング１８の右側方に延びている。
【００３６】
ハウジング１８外側の離れた位置には、複数の外部インク収容部３６ａ，３６ｂ，３６ｃ，３６ｄが配置されている。ハウジング１８の右側方から延びるインクチューブ２６は、その他端側が外部インク収容部３６ａ，３６ｂ，３６ｃ，３６ｄにそれぞれ接続されている。以上の構成により、インク収容部３６ａ，３６ｂ，３６ｃ，３６ｄ（以下、各インク収容部を区別する必要のない場合には「インク収容部３６」と言う）から、記録ヘッド５０へとインクが供給される。
【００３７】
尚、本実施例において外部インク収容部３６は、ハウジング１８の外側の離れた位置に配置されている構成としたが、他の実施例として、外部インク収容部３６をハウジング１８の側面と一体に設ける構成としてもよい。これは、以降説明する全ての実施例において同様である。
【００３８】
また、符号１６６は、複数本のインクチューブ２６を結束する為の結束手段である（以降説明する各実施例において同様）。結束手段１６６は、プラスチック等で形成された結束バンドや、ゴム状部材などである。尚、図１では結束手段１６６は１箇所設けられているが、複数箇所設けられていても良く、またその設置場所も適宜設定できる。加えて結束手段１６６は、設けなくても構わない。
【００３９】
図２を参照するに、プリンター１０の背面側には、被記録媒体が積層されるホッパー１４が、該ホッパーの上方を支点に揺動可能に設けられている。ホッパー１４の最上位に積層された被記録媒体は、給送部３８によって、搬送方向下流側である記録部４０へ給送される。
【００４０】
具体的には、ホッパー１４に積層された被記録媒体は、給送用モーター（図示せず）によって駆動する給送ローラー４２によりピックアップされて、一対の被記録媒体ガイド４４（図１参照）に案内されながら搬送方向下流側の一対の搬送ローラー４６へと給送される。搬送ローラー４６まで給送された被記録媒体は、搬送用モーター（図示せず）によって駆動される主搬送ローラー４６ａと主搬送ローラー４６ａの動きに従動する従動搬送ローラー４６ｂとに挟持されて、さらに搬送方向の下流側の記録部４０へと搬送される。
【００４１】
記録部４０は、被記録媒体を下方から支持する媒体支持部材４８と、該媒体支持部材の上方側に対向するように設けられた後述する記録ヘッド５０とによって構成される。ヘッドユニット２４は、所定の移動方向である主走査方向（図２の例では、紙面に垂直な方向）へ延びたヘッドユニットガイド軸５２に案内されながら、ヘッドユニットモーター（図示せず）によって往復動可能に主走査方向へ駆動させられる。さらに、ヘッドユニット２４の底面部には、被記録媒体へ向かってインクを吐出する記録ヘッド５０が設けられている。
【００４２】
記録部４０で記録された被記録媒体は、さらに下流側に搬送され、一対の排紙ローラー５４へと搬送される。排紙ローラー５４まで搬送された被記録媒体は、排紙用モーター（図示せず）によって駆動される主排紙ローラー５４ａと主排紙ローラー５４ａの動きに従動する従動排紙ローラー５４ｂとに挟持され、プリンター１０の正面側に設けられた排出口１６から排出される。
【００４３】
さらに、本実施例においてプリンター１０は、媒体支持部材４８及び排紙ローラー５４の下方に格納され、プリンター１０の正面側に引き出すことが可能な引き出し式の排紙ガイド５６を備えている。
【００４４】
■■■第１の実施例■■■■■
図３及び図４を参照するに、第１の実施例に係るヘッドユニット２４が示されている。ヘッドユニット２４は、アダプター収容部５８を備えている。アダプター収容部５８には、着脱可能に複数の中継アダプター６０を備えている。中継アダプター６０と外部インク収容部３６とは、インクチューブ２６により接続されている。これにより、インクはインクチューブ２６を通して外部インク収容部３６から中継アダプター６０を経てヘッドユニット２４の記録ヘッド５０に供給される。前記インクは、記録ヘッド５０の吐出ノズル（図示せず）から記録ヘッド５０と媒体支持部材４８との間に位置する被記録媒体に向けて吐出される。
【００４５】
アダプター収容部５８の上部には、高低差ｈが形成されている。ヘッドユニット２４の高さ方向すなわち上下方向（図３の紙面上下方向）において高低差ｈにおける高位置をアダプター収容部５８の高位置部６２とし、低位置をアダプター収容部５８の低位置部６４とする。高位置部６２と低位置部６４と間には、斜面６６が形成されている。
【００４６】
また、ヘッドユニット２４は、その位置が主走査方向における右端又は左端にあるとき、ヘッドユニット２４の上方をハウジング１８のカバー部２０に覆われている。このとき、高位置部６２とカバー部２０との間に第１の空間６８が生じ、低位置部６４とカバー部２０との間に第２の空間７０が生じている。第２の空間７０は、第１の空間６８よりも大きい。
【００４７】
尚、ここで厳密には、第１の空間６８とは、図２５に示す空間Ｃに相当する。空間Ｃは、ヘッドユニット２４の一部又は全部がカバー部２０の下に位置する状態において、カバー部２０と、ヘッドユニット２４の高位置部６２と、線Ｌ４（高位置部６２の後端を通る垂線）及び線Ｌ３（高位置部６２の前端を通る垂線）と、のこれらに囲われた空間である。
【００４８】
また第２の空間７０とは、図２５に示す空間Ａ＋Ｂに相当する。空間Ａ＋Ｂは、ヘッドユニット２４の一部又は全部がカバー部２０の下に位置する状態において、カバー部２０と、ヘッドユニット２４の低位置部６４と、線Ｌ１（低位置部６４の前端を通る垂線）及び線Ｌ３（高位置部６２の前端を通る垂線）と、のこれらに囲われた空間である。尚、空間Ａは、ヘッドユニット２４において高位置部６２と低位置部６４との間に形成された空間であり、より具体的には線Ｌ１と、線Ｌ２と、ヘッドユニット２４と、の間に形成された空間である（以下、空間Ａを第３の空間７１と言う）。以降説明する他の実施例でも、第１、第２、第３の空間のこれらの具体的領域は、上述の通りとする。
【００４９】
中継アダプター６０には、前記上下方向において高位置部６２と低位置部６４との間に第２の空間７０に向けて突出する延出部７２が設けられている。延出部７２には、インクチューブ２６の一端側が接続されている。特に本実施例では、延出部７２は、第２の空間７０に収まっていると同時に、第３の空間７１にも収まっている。即ち、本実施形態では延出部７２は上下方向においてヘッドユニット２４よりも上方に突出しない位置にあり、また水平方向ではヘッドユニット２４よりも前方（図３の右方）に突出しない様に設けられている。
【００５０】
低位置部６４には、該低位置部から第２の空間７０すなわちカバー部２０に向けて突出し、前記上下方向に延びる板状の案内部２８が設けられている。案内部２８には、複数の穴７４が主走査方向に開口するように前記上下方向に整列して設けられている。案内部２８の穴７４には、延出部７２に接続されたインクチューブ２６がそれぞれ通されている。インクチューブ２６は、案内部２８により前記上下方向に整列させられ、その延出方向を前記主走査方向に案内されている。尚、案内部２８は、インクチューブ２６の延出方向を規定する規定手段としても機能する。
【００５１】
図４のアダプター収容部５８には、中継アダプター６０を着脱するための収容口が形成される。収容口は、アダプター収容部５８における、高位置部６２の縁、斜面６６の縁、低位置部６４の後端側の縁によって囲まれる開口部である。インクチューブ２６は、ヘッドユニット２４が主走査方向の端部に位置した際に、カバー部２０とアダプター収容部５８における縁における低い位置（低位置部６４）との隙間からインク収容部３６に向けて延出する。
【００５２】
以上説明した様に、本実施例によれば、インクチューブ２６が延出する延出部７２が、ヘッドユニット２４の移動方向からヘッドユニット２４を見た際に（図３、図２５）、第２の空間７０に収まっており、更に本実施例では第３の空間７１にも収まっているので、第２の空間７０や第３の空間７１を有効に活用し、インクジェット記録装置の小型化を図ることが可能となる。これは、以降説明する他の実施例でも同様である。
【００５３】
尚、本実施例では、延出部７２が、図２５の領域Ａに収まる様に設けられているが、一部が領域Ｂに掛かる様に設けられていても良いし、或いは一部が図２５の直線Ｌ１より右側に位置していても良い。即ち本発明は、延出部７２が領域Ａを利用することに特徴があり、延出部７２の少なくとも一部が領域Ａを利用していれば、本発明の範囲に含まれるものとなる。これは、以降説明する他の実施例でも同様である。
【００５４】
また本実施例の特徴として、延出部７２に加え、案内部２８についても、第２の空間７０に収まっていると同時に、第３の空間７１にも収まっている。即ち、本実施形態では案内部２８は上下方向においてヘッドユニット２４よりも上方に突出しない位置にあり、また水平方向ではヘッドユニット２４よりも前方（図３の右方）に突出しない様に設けられている。これにより、より一層の装置の小型化を図ることができる。
【００５５】
■■■第２の実施例■■■■■
図５は第２の実施例を示している。本実施例において上述した第１の実施例と異なるのは、図５に示すように、案内部２８がヘッドユニット７６の左端面７８から前記主走査方向に沿ってヘッドユニット７６の外に突出している点である。その他の構成は、上述した第１の実施例と同様である。
【００５６】
<<<第１、第２の実施例の変形例>>>
尚、上述した第１、第２の実施例は、更に以下の様に変形しても良い。
（１）インクチューブ２６は案内部２８の穴７４に通されているが、穴７４に代えて半円状の切欠きとし、該切欠きにインクチューブ２６を接着剤等で取り付ける構成としてもよい。
（２）インクチューブ２６は、案内部２８の穴７４において、接着剤等で固定されていても良いし、固定されずに単に穴７４に通されているのみでも良い。
【００５７】
（３）図１においてインクチューブ２６のハウジング１８からの延出方向を、ハウジング１８の左側方としてもよい。また、この構成にあわせて、上面固定部３４もハウジング１８のカバー部２０の左端側又は開口部２２の左端側に隣接する部位１３０に設ける構成としてもよい。加えて、インク収容部３６を装置左側に配置しても良い。
（４）図１において、ハウジング１８のカバー部２０に設けられた板状の上面固定部３４にインクチューブ２６が接着固定されているが、ハウジング１８のカバー部２０に対し直接固定されていても良い。
【００５８】
（５）案内部２８は、ヘッドユニットの低位置部６４に対し接着剤で固定されていても良いし、粘着材で貼り付け固定されていても良いし、ねじ固定されていても良いし、種々の固定方法を採用し得る。
【００５９】
（６）図１においてインクチューブ２６は、ハウジング１８の前面３０側に出て、前面３０に設けられた板状の前面固定部３２を介して接着固定されているが、前面固定部３２を介さずにハウジング１８の前面３０に直接固定されていても良い。また、前面固定部３２のハウジング１８に対する固定方法や、インクチューブ２６の前面固定部３２に対する固定方法は、上述した様に接着、粘着等、種々のものを採用し得る。
（７）更にインクチューブ２６は、ヘッドユニット２４と上面固定部３４との間で固定されなくても良い（前面固定部３２を設けなくても良い）。この場合、インクチューブ２６においてヘッドユニット２４と上面固定部３４との区間が、ヘッドユニット２４の移動動作に伴い変形する区間となり、そして図１の例ではこの変形区間の一部が、ハウジング１８の上面から上方に突出した状態となっている。
【００６０】
■■■第３の実施例■■■■■
図６及び図７を参照するに、第３の実施例に係るヘッドユニット８０が示されている。第１の実施例とは、案内部８２がヘッドユニット８０の前面８４に設けられている点で相違する。
【００６１】
ヘッドユニット８０の前面８４には、板状の案内部８２が設けられている。案内部８２は、前面８４から突出し、前記上下方向に延びている。案内部８２には、複数の穴８６が主走査方向に開口するように前記上下方向に整列して設けられている。案内部８２の穴８６には、延出部７２に接続されたインクチューブ２６がそれぞれ通されている。インクチューブ２６は、案内部８２により前記上下方向に整列させられ、その延出方向を前記主走査方向に案内されている。
【００６２】
<<<第３の実施例の変形例>>>
尚、上述した第３の実施例は、更に以下の様に変形しても良い。
（１）インクチューブ２６は案内部８２の穴８６に通されているが、穴８６に代えて半円状の切欠きとし、該切欠きにインクチューブ２６を接着剤等で取り付ける構成としてもよい。
（２）インクチューブ２６は、案内部８２の穴８６において、接着剤等で固定されていても良いし、固定されずに単に穴８６に通されているのみでも良い。
【００６３】
（３）案内部８２は、ヘッドユニット８０の前面８４に対し接着剤で固定されていても良いし、粘着材で貼り付け固定されていても良いし、ねじ固定されていても良いし、種々の固定方法を採用し得る。
（４）本実施例ではインクチューブ２６が案内部８２を介してヘッドユニット８０の前面８４に固定されているが、インクチューブ２６がヘッドユニット８０の前面８４に直接固定されていても良い。また、その際のインクチューブ２６の固定方法は、接着剤や粘着材等、種々のものを採用できる。またその際の接着剤や粘着材等の固定手段は、インクチューブ２６の延出方向を規定する規定手段を構成する。
（５）案内部８２を第２の実施例（図５）のように、ヘッドユニットの左端面７８から主走査方向に沿ってヘッドユニット外側に突出する構成としてもよい。
【００６４】
■■■第４の実施例■■■■■
図８及び図９を参照するに、第４の実施例に係るヘッドユニット９０が示されている。第１の実施例とは、第１の案内部９２がヘッドユニット９０の低位置部６４に設けられ、第２の案内部９４がヘッドユニット９０の前面８４に設けられている点で相違する。
【００６５】
ヘッドユニット９０の低位置部６４には、該低位置部から第２の空間７０すなわち上方へ突出し、前記上下方向に延びる第１の案内部９２が設けられている。第１の案内部９２には、複数の穴９６が主走査方向に向けて開口するように前記上下方向に整列して設けられている。
【００６６】
第１の案内部９２の穴９６には、中継アダプター６０の延出部７２から延出したインクチューブ２６の一部がそれぞれ通されている。第１の案内部９２の穴９６に通されたインクチューブ２６は、第１の案内部９２により前記上下方向に整列させられ、その延出方向を主走査方向に案内されている。
【００６７】
また、ヘッドユニット９０の前面８４には、前面８４から前方に突出し、前記上下方向に延びる第２の案内部９４が設けられている。第２の案内部９４には、複数の穴９８が主走査方向に向けて開口するように前記上下方向に整列して設けられている。
【００６８】
第２の案内部９４の穴９８には、第１の案内部９２の穴９６に通されていない残りのインクチューブ２６がそれぞれ通されている。第２の案内部９４の穴９８に通されたインクチューブ２６は、第２の案内部９４により前記上下方向に整列させられ、その延出方向を主走査方向に案内されている。
【００６９】
<<<第４の実施例の変形例>>>
尚、上述した第４の実施例は、更に以下の様に変形しても良い。
（１）インクチューブ２６は案内部９２、９４の穴９６、９８に通されているが、穴９６、９８に代えて半円状の切欠きとし、該切欠きにインクチューブ２６を接着剤等で取り付ける構成としてもよい。
（２）インクチューブ２６は、案内部９２、９４の穴９６、９８において、接着剤等で固定されていても良いし、固定されずに単に穴８６に通されているのみでも良い。
【００７０】
（３）案内部９２、９４は、ヘッドユニット８０の前面８４に対し接着剤で固定されていても良いし、粘着材で貼り付け固定されていても良いし、ねじ固定されていても良いし、種々の固定方法を採用し得る。
（４）本実施例ではインクチューブ２６が案内部９４を介してヘッドユニット８０の前面８４に固定されているが、インクチューブ２６がヘッドユニット８０の前面８４に直接固定されていても良い。また、その際のインクチューブ２６の固定方法は、接着剤や粘着材等、種々のものを採用できる。
（５）案内部９２、９４を第２の実施例（図５）のように、ヘッドユニットの左端面７８から主走査方向に沿ってヘッドユニット外側に突出する構成としてもよい。
【００７１】
■■■第５の実施例■■■■■
図１０及び図１１を参照するに、第５の実施例に係るヘッドユニット１００が示されている。第１の実施例とは、インクチューブ２６の延出方向を案内部２８に代えて規定手段１０２により規定している点で相違する。
【００７２】
ヘッドユニット１００の低位置部６４には、規定手段１０２が設けられている。規定手段１０２は、板状の部材で低位置部６４から第２の空間７０すなわち上方に向けて突出し、前記上下方向に延びている。規定手段１０２において延出部７２と対向する面１０４には、インクチューブ２６が前記上下方向に整列するように接着剤で接着されている。延出部７２に接続されたインクチューブ２６は、規定手段１０２により前記上下方向に整列させられ、その延出方向を主走査方向へ向けて規定されている。
【００７３】
<<<第５の実施例の変形例>>>
尚、上述した第５の実施例は、更に以下の様に変形しても良い。
（１）インクチューブ２６を対向面１０４に接着剤で取り付ける構成に代えて、対向面１０４に両面テープ等の粘着部材でインクチューブを貼り付けてもよい。さらに、他の実施例として、インクチューブ２６を対向面１０４の反対側の面１０６に取り付けてもよい。
【００７４】
（２）規定手段１０２は、ヘッドユニットの低位置部６４に対し接着剤で固定されていても良いし、粘着材で貼り付け固定されていても良いし、ねじ固定されていても良いし、種々の固定方法を採用し得る。
（３）規定手段１０２を第２の実施例（図５）のように、ヘッドユニットの左端面７８から主走査方向に沿ってヘッドユニット外側に突出する構成としてもよい。
【００７５】
■■■第６の実施例■■■■■
図１２は第６の実施例を示している。本実施例において上述した第５の実施例と異なるのは、図１２に示すように、規定手段１０２がヘッドユニット１０８の左端面７８から前記主走査方向に沿ってヘッドユニット７６の外に突出している点である。その他の構成は、上述した第５の実施例と同様である。
【００７６】
■■■第７の実施例■■■■■
図１３を参照するに、第７の実施例に係るプリンター１１０が示されている。第１の実施例のプリンター１０とは、ヘッドユニット１１２に設けられた案内部１１４及びハウジング１８のカバー部２０に設けられた上面固定部１１６の構成が異なるという点で相違する。
【００７７】
複数の可撓性を有するインクチューブ２６は、その一端側がヘッドユニット１１２に接続されている。ヘッドユニット１１２から延びるインクチューブ２６は、後述する案内部１１４を経て、前記水平方向すなわちプリンター１１０の前後方向に整列させられて前記主走査方向に延びている。インクチューブ２６は、前記主走査方向において開口部２２の中央付近からハウジング１８の前面３０側に延び、前面３０に設けられた板状の前面固定部３２にプリンター１０の前記上下方向に配列されて接着剤で接着されている。すなわち、前面固定部３２が配列変換手段（配列変換部）となり、インクチューブ２６の配列方向が前記水平方向から前記上下方向に変換されている。尚配列変換手段を構成する前面固定部３２は装置外側に設けられているが、装置内側に設けられていても良い。
【００７８】
インクチューブ２６は、前面固定部３２の左方で大きく湾曲し、ハウジング１８のカバー部２０に設けられた板状の上面固定部１１６へ延びている。上面固定部１１６は、板状の部材でカバー部２０から上方に突出し、前記上下方向に延びている。上面固定部１１６には、複数の穴１１８が主走査方向に開口するように前記上下方向に整列して設けられている。上面固定部１１６の穴１１８には、前面固定部３２から延びるインクチューブ２６がそれぞれ通されている。インクチューブ２６は、上面固定部１１６により前記上下方向に整列させられ、上面固定部１１６からハウジング１８の右側方に延びている。
【００７９】
ハウジング１８外側の離れた位置には、複数の外部インク収容部３６ａ，３６ｂ，３６ｃ，３６ｄが配置されている。ハウジング１８の右側方から延びるインクチューブ２６は、その他端側が外部インク収容部３６ａ，３６ｂ，３６ｃ，３６ｄにそれぞれ接続されている。
【００８０】
図１４及び図１５を参照するに、第７の実施例に係るヘッドユニット１１２が示されている。第１の実施例とは、案内部１１４がインクチューブ２６を前記上下方向ではなく、前記水平方向すなわち前後方向（図１４紙面左右方向）に配列している点で相違する。
【００８１】
低位置部６４には、該低位置部から第２の空間７０すなわちカバー部２０に向けて突出し、前記水平方向に延びる板状の案内部１１４が設けられている。案内部１１４には、複数の穴１２０が、主走査方向に向けて開口するように前記水平方向に整列して設けられている。案内部１１４の穴１２０には、延出部７２に接続されたインクチューブ２６がそれぞれ通されている。インクチューブ２６は、案内部１１４により前記水平方向に整列させられ、その延出方向を前記主走査方向に案内されている。
【００８２】
<<<第７の実施例の変形例>>>
尚、上述した第７の実施例は、更に以下の様に変形しても良い。
（１）インクチューブ２６は案内部１２２の穴１２０に通されているが、穴１２０に代えて半円状の切欠きとし、該切欠きにインクチューブ２６を接着剤等で取り付ける構成としてもよい。  
（２）インクチューブ２６は、案内部１２２の穴１２０において、接着剤等で固定されていても良いし、固定されずに単に穴７４に通されているのみでも良い。
【００８３】
（３）図１３においてインクチューブ２６のハウジング１８からの延出方向を、ハウジング１８の左側方としてもよい。また、この構成にあわせて、案内部１１４もハウジング１８のカバー部２０の左端側又は開口部２２の左端側に隣接する部位１３０に設ける構成としてもよい。加えて、インク収容部３６を装置左側に配置しても良い。
【００８４】
（４）図１３においてインクチューブ２６は、ハウジング１８の前面３０側に出て、前面３０に設けられた板状の前面固定部３２を介して接着固定されているが、前面固定部３２を介さずにハウジング１８の前面３０に直接固定されていても良い。また、前面固定部３２或いは案内部１１８のハウジング１８に対する固定方法や、インクチューブ２６の前面固定部３２に対する固定方法は、上述した様に接着、粘着等、種々のものを採用し得る。
【００８５】
（５）複数のインクチューブ２６のうち一部を、第４の実施例（図８、図９）のように低ヘッドユニットの前面８４に設ける構成としてもよい。
（６）案内部１２２を第２の実施例（図５）のように、ヘッドユニットの左端面７８から主走査方向に沿ってヘッドユニット外側に突出する構成としてもよい。
【００８６】
■■■第８の実施例■■■■■
図１６及び図１７を参照するに、第８の実施例に係るヘッドユニット１２４が示されている。第７の実施例とは、インクチューブ２６の延出方向を案内部１１４に代えて規定手段１２６により規定している点で相違する。
【００８７】
ヘッドユニット１２４の低位置部６４には、規定手段１２６が設けられている。規定手段１２６は、板状の部材で低位置部６４から第２の空間７０すなわち上方に向けて突出し、前記水平方向すなわち前後方向（図１６紙面左右方向）に延びている。規定手段１２６の上面１２８には、インクチューブ２６が前記水平方向に整列するように接着剤で接着されている。延出部７２に接続されたインクチューブ２６は、規定手段１２６により前記水平方向に整列させられ、その延出方向を主走査方向へ向けて規定されている。
【００８８】
<<<第８の実施例の変形例>>>
尚、上述した第８の実施例は、更に以下の様に変形しても良い。
（１）インクチューブ２６を規定手段１２６の上面１２８に接着剤で取り付ける構成に代えて、上面１２８に両面テープ等の粘着部材でインクチューブ２６を貼り付けてもよい。
（２）規定手段１２６は、ヘッドユニットの低位置部６４に対し接着剤で固定されていても良いし、粘着材で貼り付け固定されていても良いし、ねじ固定されていても良いし、種々の固定方法を採用し得る。
（３）本実施例ではインクチューブ２６が規定手段１２６を介してヘッドユニット８０の低位置部６４に固定されているが、インクチューブ２６が低位置部６４に直接固定されていても良い。
【００８９】
（３）複数のインクチューブ２６のうち一部を、第４の実施例（図８、図９）のように低ヘッドユニットの前面８４に設ける構成としてもよい。
（４）規制手段１２６を第２の実施例（図５）のように、ヘッドユニットの左端面７８から主走査方向に沿ってヘッドユニット外側に突出する構成としてもよい。
【００９０】
■■■第９の実施例■■■■■
図１８を参照するに、第９の実施例のプリンター１３２が示されている。プリンター１３２のハウジング１３４の前面１３６側には、記録された被記録媒体を排出する排出口１３８が設けられている。ハウジング１３４のカバー部１４０には、開口部１４２が設けられている。開口部１４２と排出口１３８とは、プリンター１３２の内部空間を通じて連通している。
【００９１】
また、プリンター１３２は、開口部１４２を開いた状態と閉じた状態とを選択可能に、ハウジング１３４に回動可能に取り付けられたスキャナー部１４４を備える。スキャナー部１４４の下面の前方側には、凸部１４６が形成されている。また、ハウジング１３４のカバー部１４０の前方側には、凸部１４６に対応する凹部１４８ａ，１４８ｂが開口部１４２の左右方向に設けられている。スキャナー部１４４がハウジング１３４に対して閉じられたとき、凸部１４６と凹部１４８ａ，１４８ｂとは嵌合する。
【００９２】
開口部１４２の右側に位置する凹部１４８ａ内には、板状の固定部１５０が設けられている。固定部１５０には、複数の穴が前記主走査方向に向けて開口するように前記水平方向に整列して設けられている。
【００９３】
ハウジング１３４内部には、主走査方向に沿って移動可能なヘッドユニット１５２が備えられている。インクチューブ１５６は、ヘッドユニット１５２から延出し、案内部１５４を経て前記上下方向に整列して前記主走査方向に沿って延びている。尚、ヘッドユニット１５２及び案内部１５４の構成は、第１の実施例のヘッドユニット２４及び案内部２８と同一の構成である。
【００９４】
インクチューブ１５６は、開口部１４２内で大きく湾曲してその延出方向を開口部１４２右端側へと変える。さらに、開口部１４２右端側へと延びたインクチューブ１５６は、凹部１４８ａ内に設けられた固定部１５０の穴にそれぞれ通され、前記水平方向すなわちプリンター１３２の前後方向に整列させられる。
【００９５】
固定部１５０から延びるインクチューブ１５６は、ハウジング１３４の右側方へと延びている。インクチューブ１５６は、ハウジング１３４の外側の離れた位置に配置された外部インク収容部１５８ａ，１５８ｂ，１５８ｃ，１５８ｄにそれぞれ接続されている。
【００９６】
インクチューブ１５６は、該インクチューブを固定部１５０の穴に通すように配設したことにより、ハウジング１３４に対してスキャナー部１４４を閉じたとき、凸部１４６と凹部１４８ａとに挟まれてつぶされる虞がない。
【００９７】
図２６は、第９の実施例のインクジェットプリンターの内部構成を模式的に示す断面図である。プリンター１３２は、インクジェット式のプリンター部２１１と、プリンター部２１１上に設けられた開閉部材としてのスキャナー部１４４とを備え、全体として略直方体状をなしている。
【００９８】
プリンター部２１１は、開口部１４２が上面に形成された略矩形箱状のハウジング１３４を備えている。また、スキャナー部１４４は、筐体の一部を構成する有底箱状のスキャナーフレーム２１５を備え、このスキャナーフレーム２１５の基端は、ハウジング１３４の開口部１４２を開閉するようにハウジング１３４の背面側に回動自在に取り付けられている。
【００９９】
また、ハウジング１３４の背面側には、ターゲットとしての用紙Ｐを導入するための導入口２１７が設けられると共に、ハウジング１３４の前面側には、用紙Ｐをハウジング１３４内から排出するための排出口１３８が設けられている。なお、スキャナーフレーム２１５の基端には、導入口２１７を開閉する導入口カバー２１９が回動自在に取り付けられている。
【０１００】
スキャナーフレーム２１５の上側には、四角板状の透明ガラスからなる原稿台２２０が配置されている。また、スキャナーフレーム２１５の基端には、原稿台２２０の上面を上方から覆う原稿カバー２２１が回動自在に取り付けられている。スキャナーフレーム２１５内において原稿台２２０の下方には、原稿台２２０の上面に載置された原稿Ｓに記録された文字や図形等の画像を読み取るためのスキャナーユニット２２２が収容されている。
【０１０１】
スキャナーユニット２２２は、画像を読み取るためのセンサーとしての読取センサー２２３と、読取センサー２２３を支持して主走査方向に移動するキャリッジとしての読取用キャリッジ２２４と、読取用キャリッジ２２４を移動させるために読取用キャリッジ２２４に搭載されるモーター２２５とを備えている。
【０１０２】
読取用キャリッジ２２４には、ハウジング１３４の背面側から延設される可撓性ケーブル２２６（フラットフレキシブルケーブル）が接続されている。可撓性ケーブル２２６は、ハウジング１３４内に設けられた制御部（図示略）からモーター２２５や読取センサー２２３に制御信号を送ったり、読取センサー２２３の読取データを制御部に送ったりするための複数の電線等が平板状に束ねられたものである。そして、可撓性ケーブル２２６は、読取用キャリッジ２２４における用紙Ｐの搬送方向の上流側寄りとなる位置に設けられた接続部２２７に接続されている。
【０１０３】
モーター２２５は、読取用キャリッジ２２４における用紙Ｐの搬送方向の下流側寄りとなる位置に設けられた支持部２２８に支持されている。この支持部２２８には、読取用キャリッジ２２４の出力軸に接続されたウォームギア（図示略）と、このウォームギアと噛合してモーター２２５の駆動に伴って回転するピニオン２２９とが支持されている。また、スキャナーフレーム２１５において用紙Ｐの搬送方向の下流側寄りとなる位置には、ピニオン２２９に噛合して読取用キャリッジ２２４の移動をガイドするラック部２３０が主走査方向に延設されている。また、スキャナーフレーム２１５の底部には、読取用キャリッジ２２４の支持部２２８に設けられたスライダー２３１と係合して読取用キャリッジ２２４を下方から支持する凸状のガイドレール２３２が突設されている。このガイドレール２３２は、主走査方向に延設されており、読取用キャリッジ２２４の主走査方向に沿う移動をガイドする。
【０１０４】
なお、スキャナーフレーム２１５の底部には、用紙Ｐの搬送方向において接続部２２７と対応する位置に、可撓性ケーブル２２６の収容空間を下方に拡張するためのケーブル収容部としてのケーブル用凸部２３３が主走査方向Ｘに沿って形成されている。そして、ハウジング１３４の上面においてケーブル用凸部２３３の下方となる位置には、ケーブル用凸部２３３との干渉を避けるために凹部２３４が形成されている。
【０１０５】
また、スキャナーフレーム２１５の底部には、用紙Ｐの搬送方向において支持部２２８と対応する位置に、モーター２２５の移動空間を下方に拡張するためのモーター収容部としてのモーター用凸部２３５（図１８参照）が主走査方向に沿って形成されている。そして、ハウジング１３４の上面においてモーター用凸部２３５の下方となる位置には、モーター用凸部２３５との干渉を避けるために対向部としての凹部２３６が形成されている。モーター用凸部２３５との干渉を避けるために対向部としての段差部を形成してもよい。
【０１０６】
そのため、スキャナー部１４４がハウジング１３４の開口部１４２を閉塞する閉塞位置に配置された場合には、ケーブル用凸部２３３が隙間Ａ１を介在させた状態で凹部２３４に対向する位置に配置されると共に、モーター用凸部２３５が隙間Ａ２を介在させた状態で凹部２３６に対向する位置に配置される。
【０１０７】
次に、プリンター部２１１の構成について説明する。ハウジング１３４の側壁には、主走査方向に延びるガイドレール２３７が架設されており、このガイドレール２３７には主走査方向に沿って移動可能な状態で記録用キャリッジ２３７ａが支持されている。記録用キャリッジ２３７ａは、図示しないキャリッジモーターの駆動に伴って往復移動する。また、ハウジング１３４内における記録用キャリッジ２３７ａの下方には支持部材２３８が設けられている。すなわち、ハウジング１３４内における支持部材２３８の上方の空間域は、記録用キャリッジ２３７ａが往復移動する移動領域となっており、この移動領域上部がハウジング１３４の開口部１４２によってハウジング１３４の外側に露呈されている。
【０１０８】
記録用キャリッジ２３７ａは、記録用キャリッジ２３７ａの下面に一体に組み込まれた液体噴射ヘッドとしての記録ヘッド２４０と、記録用キャリッジ２３７ａに着脱自在に収納された複数（本実施形態では４つ）の中継アダプター２３９とを備えて構成されている。中継アダプター２３９は、ハウジング１３４の外部に設けられた外部インク収容部１５８（図１８参照）と記録ヘッド２４０とを中継するアダプターであり、記録ヘッド２４０から噴射される液体としての各色のインク（本実施形態では、シアンインク、マゼンダインク、イエローインク、黒インク）を収容可能となっている。
【０１０９】
また、プリンター部２１１は、導入口２１７から導入された用紙Ｐを、ハウジング１３４内において背面側となる搬送方向の上流側から記録ヘッド２４０により印刷が行われることになる下流側に向けて搬送する搬送機構２４１を有している。この搬送機構２４１は、用紙Ｐを案内するための搬送経路形成部材２４２と、用紙Ｐの幅方向に延びる回転軸（図示略）を中心に回転する給送ローラー２４３，２４６と、給送ローラー２４３と対をなす従動ローラー２４４と、記録ヘッド２４０により印刷が行われた用紙Ｐを排紙するための排紙ローラー対２４５を有している。
【０１１０】
そして、プリンター部２１１は、搬送機構２４１によって搬送されて支持部材２３８に支持された用紙Ｐの上面側に記録ヘッド２４０のノズルからインクを噴射することで用紙Ｐに対して印刷を行うと共に、印刷が行われた用紙Ｐを排紙ローラー対２４５によって排出口１３８からハウジング１３４の外側に排紙する。
【０１１１】
ハウジング１３４は、スキャナー部１４４が閉状態の際にモーター用凸部２３５と対向する凹部２３６（図１８参照）と、凹部２３６につらなり、主走査方向の端部に位置したヘッドユニット１５２（図１８参照）の一部を覆うカバー部２５１と、を備え、インクチューブ１５６の一部は、ヘッドユニット１５２が主走査方向の端部に位置した際に、カバー部２５１と凹部２３６とヘッドユニット１５２とで形成される空間に位置する。
【０１１２】
また、インクチューブ１５６の一部は、ヘッドユニット１５２が主走査方向の端部に位置した際に、カバー部２５１あるいは凹部２３６とアダプター収容部の縁における低い位置（図３の低位置部６４を参照）との隙間から外部インク収容部１５８に向けて延出するようにしてもよい。
【０１１３】
■■■第１０の実施例■■■■■
図１９を参照するに、第１０の実施例のプリンター１６０が示されている。第９の実施例とは、外部インク収容部１５８ｃ，１５８ｄをハウジング１３４の左側方に配置し、複数のインクチューブ１５６の一部をハウジング１３４の右側方に延出させ、インクチューブ１５６の残りをハウジング１３４の左側方に延出させた点で相違する。
【０１１４】
開口部１４２の右側に位置する凹部１４８ａには固定部１６２ａが設けられ、開口部１４２の左側に位置する凹部１４８ｂには固定部１６２ｂが設けられている。固定部１６２ａ，１６２ｂの構成は、第９の実施例の固定部１５０と同じ構成である。
【０１１５】
インクチューブ１６４ａ，１６４ｂ，１６４ｃ，１６４ｄは、ヘッドユニット１５２から延出し、案内部１５４を経て前記上下方向に整列して前記主走査方向に沿って延びている。インクチューブ１６４ａ，１６４ｂは、開口部１４２内で大きく湾曲してその延出方向を開口部１４２右端側へと変える。さらに、開口部１４２右端側へと延びたインクチューブ１６４ａ，１６４ｂは、凹部１４８ａ内に設けられた固定部１６２ａの穴にそれぞれ通され、前記水平方向に整列させられる。インクチューブ１６４ｃ，１６４ｄは、開口部１４２左端側へと延び、凹部１４８ｂ内に設けられた固定部１６２ｂの穴にそれぞれ通され、前記水平方向に整列させられる。
【０１１６】
固定部１６２ａから延びるインクチューブ１６４ａ，１６４ｂは、ハウジング１３４の右側方へと延びている。インクチューブ１６４ａ，１６４ｂは、ハウジング１３４の右側方の離れた位置に配置された外部インク収容部１５８ａ，１５８ｂにそれぞれ接続されている。固定部１６２ｂから延びるインクチューブ１６４ｃ，１６４ｄは、ハウジング１３４の左側方へと延びている。インクチューブ１６４ｃ，１６４ｄは、ハウジング１３４の左側方の離れた位置に配置された外部インク収容部１５８ｃ，１５８ｄにそれぞれ接続されている。
【０１１７】
<<<第９、第１０の実施例の変形例>>>
尚、上述した第９、第１０の実施例は、更に以下の様に変形しても良い。
（１）図１８に示した第８の実施例において、インクチューブ１５６は、ハウジング１３４から該ハウジングの左側方に延出する構成としてもよい。また、この構成にあわせて、開口部１４２の左側に位置する凹部１４８ｂに固定部１５０を設ける構成としてもよい。
（２）インクチューブ１５６は案内部１５０、１６２ａ、１６２ｂ、のこれらの穴に通されているが、穴に代えて半円状の切欠きとし、該切欠きにインクチューブ２６を接着剤等で取り付ける構成としてもよい。
（３）インクチューブ１５６は案内部１５０、１６２ａ、１６２ｂ、のこれらの穴において、接着剤等で固定されていても良いし、固定されずに単に穴に通されているのみでも良い。
【０１１８】
（４）第９の実施例及び第１０の実施例のプリンター１３２，１６０においてヘッドユニット１５２及び案内部１５４に代えて、他の実施例として、上記第２の実施例ないし第８の実施例に記載された案内部又は規定手段によりインクチューブ１５６，１６４を延出する構成としてもよい。
【０１１９】
■■■第１１の実施例■■■■■
図２０を参照するに、第１１の実施例におけるインクチューブ２６の配設領域の正面図が示されている。尚、図２０において、インクチューブ２６の配設領域の説明のために実施例１の構成を使用して説明する。
【０１２０】
図２０は、ヘッドユニット２４が主走査方向において左端側に位置するときを示し、ヘッドユニット２４の上方をハウジング１８のカバー部２０が覆っている。前記上下方向においてカバー部２０とヘッドユニット２４の低位置部６４との間には第２の空間７０が生じている。
【０１２１】
中継アダプター６０の延出部７２から延出したインクチューブ２６は、低位置部６４に設けられた案内部２８に通されている。案内部２８から延びるインクチューブ２６は、ヘッドユニット２４の左方で湾曲してヘッドユニット２４の右方へ折り返し、案内部２８及び延出部７２の上方を横切って開口部２２（図示せず）へ延びている。したがって、本実施例では、インクチューブ２６は第２の空間７０の上下方向を利用して配設されている。
尚、本実施例のインクチューブの配設について、第１の実施例のみならず、第２の実施例ないし第１０の実施例においても適用可能である。
【０１２２】
■■■第１２の実施例■■■■■
図２１を参照するに、第１２の実施例におけるインクチューブ２６の配設領域の上面図が示されている。尚、図２１において、インクチューブ２６の配設領域の説明のために実施例１の構成を使用して説明する。
【０１２３】
図２１は、ヘッドユニット２４が主走査方向において左端側に位置するときを示し、ヘッドユニット２４の前方をハウジング１８の前面３０が覆っている。前記水平方向においてハウジング１８の前面３０とヘッドユニット２４の前面８４との間には空間１６８が生じている。
【０１２４】
中継アダプター６０の延出部７２から延出したインクチューブ２６は、低位置部６４に設けられた案内部２８に通されている。案内部２８から延びるインクチューブ２６は、ヘッドユニット２４の左方で湾曲してヘッドユニット２４の右方へ折り返し、ヘッドユニット２４の前方を横切って開口部２２（図示せず）へ延びている。したがって、本実施例では、インクチューブ２６はハウジング１８の前面３０とヘッドユニット２４の前面８４との間の空間１６８を利用して配設されている。
尚、本実施例のインクチューブの配設について、第１の実施例のみならず、第２の実施例ないし第１０の実施例においても適用可能である。
【０１２５】
■■■その他の実施例■■■■■
ヘッドユニットを側面視した際に当該ヘッドユニットの形状（特に、上部の高低差に係わる形状）も、種々の形態をとり得る。図２２〜図２４はこれを示すものであり、図２２（Ａ）、図２２（Ｂ）、図２２（Ｃ）、図２３（Ａ）、図２３（Ｂ）、図２３（Ｃ）、図２４（Ａ）、図２４（Ｂ）及び図２４（Ｃ）を参照するに、本発明に係るヘッドユニットの第１３の実施例ないし第２１の実施例の側面図が示されている。
【０１２６】
図２２（Ａ）に示された第１３の実施例のヘッドユニット１７０は、高位置部６２が２箇所設けられ、高位置部６２の間に低位置部６４が設けられている構成である。本実施例では、高位置部６２と低位置部６４との間の斜面６６に代えて、垂直面１７２として構成されている。延出部７２は垂直面１７２に設けられ、案内部２８は低位置部６４に設けられている。
【０１２７】
図２２（Ｂ）に示された第１４の実施例のヘッドユニット１７４は、高位置部６２と低位置部６４との間の斜面６６に代えて、垂直面１７２として構成されている。延出部７２は垂直面１７２に設けられ、案内部２８は低位置部６４に設けられている。
【０１２８】
図２２（Ｃ）に示された第１５の実施例のヘッドユニット１７６は、高位置部６２及び低位置部６４に平坦部を設けずに、高位置部６２と低位置部６４との間を全て斜面６６として構成されている。この構成においては、延出部７２及び案内部２８は斜面６６に設けられている。
【０１２９】
図２３（Ａ）に示された第１６の実施例のヘッドユニット１７８は、高位置部６２が２箇所設けられ、その間に低位置部６４が設けられている。一方の高位置部６２と低位置部６４との間には斜面６６が設けられ、他方の高位置部６２と低位置部６４との間には垂直面１７２が設けられている。この構成において延出部７２及び案内部２８は、斜面６６に設けられている。
【０１３０】
図２３（Ｂ）に示された第１７の実施例のヘッドユニット１８０は、高位置部６２と低位置部６４との間に斜面６６が設けられている。高位置部６２には平坦部が設けられていない。この構成において延出部７２は斜面６６に設けられ、案内部２８は低位置部６４に設けられている。
【０１３１】
図２３（Ｃ）に示された第１８の実施例のヘッドユニット１８２は、高位置部６２及び低位置部６４に平坦部を設けずに、高位置部６２と低位置部６４との間を全て凸曲面１８４として構成されている。この構成において延出部７２及び案内部２８は、凸曲面１８４に設けられている。
【０１３２】
図２４（Ａ）に示された第１９の実施例のヘッドユニット１８６は、高位置部６２と低位置部６４との間に凹曲面１８８が設けられている。高位置部６２には平坦部が設けられていない。この構成において延出部７２は凹曲面１８８に設けられ、案内部２８は低位置部６４に設けられている。
【０１３３】
図２４（Ｂ）に示された第２０の実施例のヘッドユニット１９０は、高位置部６２と低位置部６４との間に凸曲面１８４が設けられている。この構成において延出部７２は凸曲面１８４に設けられ、案内部２８は低位置部６４に設けられている。
【０１３４】
図２４（Ｃ）に示された第２１の実施例のヘッドユニット１９２は、高位置部６２と低位置部６４との間に凹曲面１８８が設けられている。低位置部６４には平坦部が設けられていない。この構成において延出部７２及び案内部２８は、凹曲面１８８に設けられている。
【０１３５】
尚、上記第１３の実施例ないし第２１の実施例において、説明のためインクチューブの延出方向を規制する構成を第１の実施例における案内部２８としたが、これに限られず、第２の実施例ないし第８の実施例に記載された案内部又は規定手段とすることができる。
【０１３６】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１３７】
１０…プリンター、１６…排出口、１８…ハウジング、２０…カバー部、２２…開口部、２４…ヘッドユニット、２６…インクチューブ、３２…前面固定部、３６，３６ａ〜３６ｄ…外部インク収容部、５０…記録ヘッド、５８…アダプター収容部、６０…中継アダプター、６２…高位置部、６４…低位置部、６６…斜面、６８…第１の空間、７０…第２の空間、７１…第３の空間、７２…延出部、７６，８０，９０，１００，１０８…ヘッドユニット、１１０…プリンター、１１２，１２４…ヘッドユニット、１３２，１６０…プリンター、１３４…ハウジング、１３８…排出口、１４０…カバー部、１４２…開口部、１４４…スキャナー部、１４８ａ…凹部、１４８ｂ…凹部、１５２…ヘッドユニット、１５６…インクチューブ、１５８，１５８ａ〜１５８ｄ…外部インク収容部、１６０…プリンター、１６４ａ〜１６４ｄ…インクチューブ、１６８…空間、１７０，１７４，１７６，１７８，１８０，１８２，１８６，１９０，１９２…ヘッドユニット、２１１…プリンター部、２１５…スキャナーフレーム、２２３…読取センサー、２２４…読取用キャリッジ、２２５…モーター、２３５…モーター用凸部、２３６…凹部、２３７ａ…記録用キャリッジ、２３９…中継アダプター、２４０…記録ヘッド、２５１…カバー部、ｈ…高低差。
【図１】
2013114841.tif 000003
【図２】
2013114841.tif 000004
【図３】
2013114841.tif 000005
【図４】
2013114841.tif 000006
【図５】
2013114841.tif 000007
【図６】
2013114841.tif 000008
【図７】
2013114841.tif 000009
【図８】
2013114841.tif 000010
【図９】
2013114841.tif 000011
【図１０】
2013114841.tif 000012
【図１１】
2013114841.tif 000013
【図１２】
2013114841.tif 000014
【図１３】
2013114841.tif 000015
【図１４】
2013114841.tif 000016
【図１５】
2013114841.tif 000017
【図１６】
2013114841.tif 000018
【図１７】
2013114841.tif 000019
【図１８】
2013114841.tif 000020
【図１９】
2013114841.tif 000021
【図２０】
2013114841.tif 000022
【図２１】
2013114841.tif 000023
【図２２】
2013114841.tif 000024
【図２３】
2013114841.tif 000025
【図２４】
2013114841.tif 000026
【図２５】
2013114841.tif 000027
【図２６】
2013114841.tif 000028
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
インクを吐出する記録ヘッド、およびインクが収容されたインク収容部と前記記録ヘッドとを中継する中継アダプターを備え、前記記録ヘッドの走査方向に移動可能なヘッドユニットと、
前記中継アダプターに接続され、前記インク収容部から送られるインクを前記中継アダプターへと導く、可撓性を有するインクチューブと、
前記ヘッドユニットが前記走査方向の端部に位置した前記ヘッドユニットの少なくとも一部を被うカバー部と、を備え、
前記ヘッドユニットにおいて前記中継アダプターを収容するアダプター収容部の上部に、前記カバー部との間隔が小さい高位置と、間隔が大きい低位置とが形成され、
前記インクチューブの一部は、前記ヘッドユニットが前記走査方向の端部に位置した際に、前記アダプター収容部の低位置と前記カバー部との間に形成される隙間を利用して前記ヘッドユニットの外側に延出している、
ことを特徴とするインクジェット記録装置。
【請求項２】
（削除）
【請求項３】
請求項１に記載のインクジェット記録装置において、前記インクチューブを複数本有し、
当該複数本のインクチューブが、上下方向に配列されて前記ヘッドユニットから延出する、
ことを特徴とするインクジェット記録装置。
【請求項４】
請求項１に記載のインクジェット記録装置において、前記インクチューブを複数本有し、
当該複数本のインクチューブが、水平方向に配列されて前記ヘッドユニットから延出する、
ことを特徴とするインクジェット記録装置。
【請求項５】
請求項１に記載のインクジェット記録装置において、前記インクチューブを複数本有し、
当該複数本のインクチューブが、前記カバー部の上面において横方向に配列されて前記ハウジングの上面に固定されている、
ことを特徴とするインクジェット記録装置。
【請求項６】
請求項１に記載のインクジェット記録装置において、前記ハウジングは、前記ヘッドユニットの移動領域における少なくとも一部の移動領域上部を露呈させる開口部を備えるとともに、記録が行われた被記録媒体が排出される排出口が設けられた側を装置の前方側としたときに、上面に前記開口部から側方に延びる凹部を備え、
前記インクチューブが、前記凹部を通り、前記ハウジングの側方に出ている、
ことを特徴とするインクジェット記録装置。
【請求項７】
請求項６に記載のインクジェット記録装置において、前記インクチューブを複数本有し、
当該複数本のインクチューブが、前記凹部において水平方向に配列される、
ことを特徴とするインクジェット記録装置。
【請求項８】
請求項６に記載のインクジェット記録装置において、前記凹部において水平方向に配列された複数のインクチューブが、前記凹部内で固定されている、
ことを特徴とするインクジェット記録装置。
【請求項９】
請求項１に記載のインクジェット記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１０】
請求項１に記載のインクジェット記録装置において、前記ハウジングの外側に前記インク収容部を備えている、
ことを特徴とするインクジェット記録装置。
【請求項１１】
プリンター部と、前記プリンター部に対して開閉可能に取り付けられたスキャナー部とを備えたインクジェット記録装置であって、
前記プリンター部は、ハウジングと、インクが収容されたインク収容部と、前記ハウジング内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの少なくとも一部を覆うカバー部と、を備え、
前記インクチューブの一部は、前記ヘッドユニットが前記主走査方向の端部に位置した際に、前記カバー部と前記対向部と前記ヘッドユニットとで形成される空間に位置する、ことを特徴とするインクジェット記録装置。
【請求項１２】
請求項１１に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１３】
請求項１２に記載のインクジェット記録装置において、前記配列変換部が、装置内部に設けられている、
ことを特徴とするインクジェット記録装置。
【請求項１４】
請求項１１に記載のインクジェット記録装置において、前記ハウジングの外側に前記インク収容部を備えている、
ことを特徴とするインクジェット記録装置。
【請求項１５】
プリンター部と、前記プリンター部に対して開閉可能に取り付けられたスキャナー部とを備えた記録装置であって、
前記プリンター部は、ハウジングと、インクが収容されたインク収容部と、前記ハウジングの内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記アダプター収容部は、前記中継アダプターを収容する収容口を形成する縁を有し、前記縁は、前記排出口側の反対側よりも前記排出口側が低く形成され、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの少なくとも一部を覆うカバー部と、を備え、
前記インクチューブの一部は、前記ヘッドユニットが前記主走査方向の端部に位置した際に、前記カバー部あるいは前記対向部と前記アダプター収容部の前記縁における低い位置との隙間から前記インク収容部に向けて延出する、
ことを特徴とする記録装置。
【請求項１６】
請求項１５に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１７】
請求項１６に記載のインクジェット記録装置において、前記配列変換部が、装置内部に設けられている、
ことを特徴とするインクジェット記録装置。
【請求項１８】
請求項１５に記載のインクジェット記録装置において、前記ハウジングの外側に前記インク収容部を備えている、
ことを特徴とするインクジェット記録装置。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
インクを吐出する記録ヘッド、およびインクが収容されたインク収容部と前記記録ヘッドとを中継する中継アダプターを備え、前記記録ヘッドの走査方向に移動可能なヘッドユニットと、
前記中継アダプターに接続され、前記インク収容部から送られるインクを前記中継アダプターへと導く、可撓性を有するインクチューブと、
前記ヘッドユニットが前記走査方向の端部に位置した時、前記ヘッドユニットの少なくとも一部を被うカバー部と、を備え、
前記ヘッドユニットにおいて前記中継アダプターを収容するアダプター収容部の上部に、前記カバー部との間隔が小さい高位置と、間隔が大きい低位置とが形成され、
前記インクチューブの一部は、前記ヘッドユニットが前記走査方向の端部に位置した際に、前記アダプター収容部の低位置と前記カバー部との間に形成される隙間を利用して前記ヘッドユニットの外側に延出している、
ことを特徴とするインクジェット記録装置。
【請求項２】
請求項１に記載のインクジェット記録装置において、前記インクチューブを複数本有し、
当該複数本のインクチューブが、上下方向に配列されて前記ヘッドユニットから延出する、
ことを特徴とするインクジェット記録装置。
【請求項３】
請求項１に記載のインクジェット記録装置において、前記インクチューブを複数本有し、
当該複数本のインクチューブが、水平方向に配列されて前記ヘッドユニットから延出する、
ことを特徴とするインクジェット記録装置。
【請求項４】
請求項１に記載のインクジェット記録装置において、前記インクチューブを複数本有し、
当該複数本のインクチューブが、前記カバー部の上面において横方向に配列されて前記カバー部の上面に固定されている、
ことを特徴とするインクジェット記録装置。
【請求項５】
請求項１に記載のインクジェット記録装置において、前記カバー部は、前記ヘッドユニットの移動領域における少なくとも一部の移動領域上部を露呈させる開口部を備えるとともに、記録が行われた被記録媒体が排出される排出口が設けられた側を装置の前方側としたときに、上面に前記開口部から側方に延びる凹部を備え、
前記インクチューブが、前記凹部を通り、前記カバー部の側方に出ている、
ことを特徴とするインクジェット記録装置。
【請求項６】
請求項５に記載のインクジェット記録装置において、前記インクチューブを複数本有し、
当該複数本のインクチューブが、前記凹部において水平方向に配列される、
ことを特徴とするインクジェット記録装置。
【請求項７】
請求項５に記載のインクジェット記録装置において、前記凹部において水平方向に配列
された複数のインクチューブが、前記凹部内で固定されている、
ことを特徴とするインクジェット記録装置。
【請求項８】
請求項１に記載のインクジェット記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項９】
請求項１に記載のインクジェット記録装置において、前記ハウジングの外側に前記インク収容部を備えている、
ことを特徴とするインクジェット記録装置。
【請求項１０】
プリンター部と、前記プリンター部に対して開閉可能に取り付けられたスキャナー部とを備えたインクジェット記録装置であって、
前記プリンター部は、ハウジングと、インクが収容されたインク収容部と、前記ハウジング内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの少なくとも一部を覆うカバー部と、を備え、
前記インクチューブの一部は、前記ヘッドユニットが前記主走査方向の端部に位置した際に、前記カバー部と前記対向部と前記ヘッドユニットとで形成される空間に位置する、  ことを特徴とするインクジェット記録装置。
【請求項１１】
請求項１０に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１２】
請求項１１に記載のインクジェット記録装置において、前記配列変換部が、装置内部に設けられている、
ことを特徴とするインクジェット記録装置。
【請求項１３】
請求項１０に記載のインクジェット記録装置において、前記ハウジングの外側に前記インク収容部を備えている、
ことを特徴とするインクジェット記録装置。
【請求項１４】
プリンター部と、前記プリンター部に対して開閉可能に取り付けられたスキャナー部とを備えた記録装置であって、
前記プリンター部は、ハウジングと、インクが収容されたインク収容部と、前記ハウジングの内部に配置され、主走査方向に移動するヘッドユニットと、を備え、
前記ヘッドユニットは、インクを吐出する記録ヘッドと、前記記録ヘッドにインクを供給する中継アダプターと、前記中継アダプターを収容するアダプター収容部と、を有し、
前記プリンター部は、前記インク収容部のインクを前記中継アダプターに供給するためのインクチューブと、前記記録ヘッドで記録された記録媒体を排出する排出口と、をさらに備え、
前記アダプター収容部は、前記中継アダプターを収容する収容口を形成する縁を有し、前記縁は、前記排出口側の反対側よりも前記排出口側が低く形成され、
前記スキャナー部は、スキャナーフレームと、前記スキャナーフレーム内に配置され、センサーを備えて主走査方向に移動するキャリッジと、前記キャリッジに設けられるモーターと、前記スキャナーフレームに設けられ、前記ヘッドユニットよりも前記排出口側に位置する、前記モーターを収容するモーター用凸部と、を備え、
前記ハウジングは、前記スキャナー部が閉状態の際に前記モーター用凸部と対向する対向部と、前記対向部につらなり、前記主走査方向の端部に位置した前記ヘッドユニットの少なくとも一部を覆うカバー部と、を備え、
前記インクチューブの一部は、前記ヘッドユニットが前記主走査方向の端部に位置した際に、前記カバー部あるいは前記対向部と前記アダプター収容部の前記縁における低い位置との隙間から前記インク収容部に向けて延出する、
ことを特徴とする記録装置。
【請求項１５】
請求項１４に記載の記録装置において、前記インクチューブを複数本備えるとともに、当該複数本のインクチューブの配列方向を変換する配列変換部により、複数の前記インクチューブの配列方向が水平方向から上下方向に、或いは上下方向から水平方向に変換される、
ことを特徴とするインクジェット記録装置。
【請求項１６】
請求項１５に記載のインクジェット記録装置において、前記配列変換部が、装置内部に設けられている、
ことを特徴とするインクジェット記録装置。
【請求項１７】
請求項１４に記載のインクジェット記録装置において、前記ハウジングの外側に前記インク収容部を備えている、
ことを特徴とするインクジェット記録装置。
【請求項１８】
インクを吐出する記録ヘッド、およびインクが収容されたインク収容部と前記記録ヘッドとを中継する中継アダプターを備え、前記記録ヘッドの走査方向に移動可能なヘッドユニットと、
前記中継アダプターに接続され、前記インク収容部から送られるインクを前記中継アダプターへと導く、可撓性を有するインクチューブと、
前記ヘッドユニットが前記走査方向の端部に位置した際に、前記ヘッドユニットの少なくとも一部を被うカバー部と、を備え、
前記ヘッドユニットが前記走査方向の端部に位置した際に、前記ヘッドユニットと前記カバー部との間には互いの間隔が大きい空間と互いの間隔が小さい空間とが形成され、
前記インクチューブの一部は、前記ヘッドユニットが前記走査方向の端部に位置した際に、前記互いの間隔が大きい空間を利用して前記ヘッドユニットの外側に延出している、
ことを特徴とするインクジェット記録装置。
【手続補正２】
【補正対象書類名】明細書
【補正対象項目名】００２４
【補正方法】変更
【補正の内容】
【００２４】
本発明の第１８の態様は、第１５の態様において、前記ハウジングの外側に前記インク収容部を備えている、ことを特徴とする。
本発明の第１９の態様は、インクを吐出する記録ヘッド、およびインクが収容されたインク収容部と前記記録ヘッドとを中継する中継アダプターを備え、前記記録ヘッドの走査方向に移動可能なヘッドユニットと、前記中継アダプターに接続され、前記インク収容部から送られるインクを前記中継アダプターへと導く、可撓性を有するインクチューブと、  前記ヘッドユニットが前記走査方向の端部に位置した時、前記ヘッドユニットの少なくとも一部を被うカバー部と、を備え、前記ヘッドユニットにおいて前記中継アダプターを収容するアダプター収容部の上部に、前記カバー部との間隔が小さい高位置と、間隔が大きい低位置とが形成され、前記インクチューブの一部は、前記ヘッドユニットが前記走査方向の端部に位置した際に、前記アダプター収容部の低位置と前記カバー部との間に形成される隙間を利用して前記ヘッドユニットの外側に延出している、ことを特徴とする。
【手続補正３】
【補正対象書類名】明細書
【補正対象項目名】００５０
【補正方法】変更
【補正の内容】
【００５０】
低位置部６４には、該低位置部６４から第２の空間７０すなわちカバー部２０に向けて突出し、前記上下方向に延びる板状の案内部２８が設けられている。案内部２８には、複数の穴７４が主走査方向に開口するように前記上下方向に整列して設けられている。案内部２８の穴７４には、延出部７２に接続されたインクチューブ２６がそれぞれ通されている。インクチューブ２６は、案内部２８により前記上下方向に整列させられ、その延出方向を前記主走査方向に案内されている。尚、案内部２８は、インクチューブ２６の延出方向を規定する規定手段としても機能する。
【手続補正４】
【補正対象書類名】明細書
【補正対象項目名】００５９
【補正方法】変更
【補正の内容】
【００５９】
（６）図１においてインクチューブ２６は、ハウジング１８の前面３０側に出て、前面３０に設けられた板状の前面固定部３２を介して接着固定されているが、前面固定部３２を介さずにハウジング１８の前面３０に直接固定されていても良い。また、前面固定部３２のハウジング１８に対する固定方法や、インクチューブ２６の前面固定部３２に対する固定方法は、上述した様に接着、粘着等、種々のものを採用し得る。
（７）更にインクチューブ２６は、ヘッドユニット２４と上面固定部３４との間で固定されなくても良い（上面固定部３４を設けなくても良い）。この場合、インクチューブ２６においてヘッドユニット２４と上面固定部３４との区間が、ヘッドユニット２４の移動動作に伴い変形する区間となり、そして図１の例ではこの変形区間の一部が、ハウジング１８の上面から上方に突出した状態となっている。
【手続補正５】
【補正対象書類名】明細書
【補正対象項目名】００６５
【補正方法】変更
【補正の内容】
【００６５】
ヘッドユニット９０の低位置部６４には、該低位置部６４から第２の空間７０すなわち上方へ突出し、前記上下方向に延びる第１の案内部９２が設けられている。第１の案内部９２には、複数の穴９６が主走査方向に向けて開口するように前記上下方向に整列して設けられている。
【手続補正６】
【補正対象書類名】明細書
【補正対象項目名】００８２
【補正方法】変更
【補正の内容】
【００８２】
<<<第７の実施例の変形例>>>
尚、上述した第７の実施例は、更に以下の様に変形しても良い。
（１）インクチューブ２６は案内部１１４の穴１２０に通されているが、穴１２０に代えて半円状の切欠きとし、該切欠きにインクチューブ２６を接着剤等で取り付ける構成としてもよい。  
（２）インクチューブ２６は、案内部１１４の穴１２０において、接着剤等で固定されていても良いし、固定されずに単に穴１２０に通されているのみでも良い。
【手続補正７】
【補正対象書類名】明細書
【補正対象項目名】００８４
【補正方法】変更
【補正の内容】
【００８４】
（４）図１３においてインクチューブ２６は、ハウジング１８の前面３０側に出て、前面３０に設けられた板状の前面固定部３２を介して接着固定されているが、前面固定部３２を介さずにハウジング１８の前面３０に直接固定されていても良い。また、前面固定部３２或いは案内部１１４のハウジング１８に対する固定方法や、インクチューブ２６の前面固定部３２に対する固定方法は、上述した様に接着、粘着等、種々のものを採用し得る。
【手続補正８】
【補正対象書類名】明細書
【補正対象項目名】００８５
【補正方法】変更
【補正の内容】
【００８５】
（５）複数のインクチューブ２６のうち一部を、第４の実施例（図８、図９）のようにヘッドユニット８０の前面８４に設ける構成としてもよい。
（６）案内部１１４を第２の実施例（図５）のように、ヘッドユニット８０の左端面７８から主走査方向に沿ってヘッドユニット外側に突出する構成としてもよい。
【手続補正９】
【補正対象書類名】明細書
【補正対象項目名】００８９
【補正方法】変更
【補正の内容】
【００８９】
（３）複数のインクチューブ２６のうち一部を、第４の実施例（図８、図９）のようにヘッドユニット８０の前面８４に設ける構成としてもよい。
（４）規制手段１２６を第２の実施例（図５）のように、ヘッドユニット８０の左端面７８から主走査方向に沿ってヘッドユニット８０の外側に突出する構成としてもよい。
【手続補正１０】
【補正対象書類名】明細書
【補正対象項目名】０１１７
【補正方法】変更
【補正の内容】
【０１１７】
<<<第９、第１０の実施例の変形例>>>
尚、上述した第９、第１０の実施例は、更に以下の様に変形しても良い。
（１）図１８に示した第８の実施例において、インクチューブ１５６は、ハウジング１３４から該ハウジングの左側方に延出する構成としてもよい。また、この構成にあわせて、開口部１４２の左側に位置する凹部１４８ｂに固定部１５０を設ける構成としてもよい。
（２）インクチューブ１５６は固定部１５０、１６２ａ、１６２ｂ、のこれらの穴に通されているが、穴に代えて半円状の切欠きとし、該切欠きにインクチューブ２６を接着剤等で取り付ける構成としてもよい。
（３）インクチューブ１５６は固定部１５０、１６２ａ、１６２ｂ、のこれらの穴において、接着剤等で固定されていても良いし、固定されずに単に穴に通されているのみでも良い。
【国際調査報告】
2013114841.tif 000029
2013114841.tif 000030
2013114841.tif 000031
2013114841.tif 000032
2013114841.tif 000033
2013114841.tif 000034